(57)【要約】  【課題】  フットサポートへの装着を容易にしつつ、フットサポート裏面の必要箇所を確実に被覆することができる車椅子フットサポートガードを提供する。  【解決手段】  車椅子のフレーム５１に回動自在に支持されたフットサポート５３を被覆するように装着される車椅子フットサポートガード１であって、フットサポート５３の少なくとも裏面側を覆う第１の保護部材１０と、第１の保護部材１０に固定された第２の保護部材２０とを備えており、第２の保護部材２０は、フットサポート５３の表面側に突出する把持部２４を備える。【選択図】  図４
2019022648.tif 000002
【特許請求の範囲】
【請求項１】
車椅子のフレームに回動自在に支持されたフットサポートを被覆するように装着される車椅子フットサポートガードであって、
前記フットサポートの少なくとも裏面側を覆う第１の保護部材と、
前記第１の保護部材に固定された第２の保護部材とを備えており、
前記第２の保護部材は、前記フットサポートの表面側に突出する把持部を備える車椅子フットサポートガード。
【請求項２】
前記第１の保護部材は、帯状に形成されて長手方向に伸縮性を有しており、前記フットサポートに巻き付け装着される請求項１に記載の車椅子フットサポートガード。
【請求項３】
前記第１の保護部材は、前記フットサポートの裏面側を覆う長手方向中央部の裏面にクッション材が設けられており、長手方向両側を前記フットサポートの表面側に折り返して互いに結合したときに、前記第２の保護部材が前記フットサポートの表面に搭載される請求項２に記載の車椅子フットサポートガード。
【請求項４】
前記第１の保護部材は、凹凸からなる滑り止め部が裏面側に設けられており、長手方向両側の結合時に前記滑り止め部が前記フットサポートの表面側に露出する請求項３に記載の車椅子フットサポートガード。
【請求項５】
前記第２の保護部材は、前記フットサポートの回動側端部が挿入される装着部を備える請求項１に記載の車椅子フットサポートガード。
【請求項６】
前記第１の保護部材は、取付用バンドが挿通される複数の挿通孔が形成されている請求項５に記載の車椅子フットサポートガード。
【請求項７】
前記第２の保護部材は、前記フットサポートの回動時に前記フレームとの干渉を回避するための切欠部が形成されている請求項１から６のいずれかに記載の車椅子フットサポートガード。
【発明の詳細な説明】
【技術分野】
【０００１】
本発明は、車椅子フットサポートガードに関し、より詳しくは、車椅子のフレームに回動自在に支持されたフットサポートを被覆する車椅子フットサポートガードに関する。
【背景技術】
【０００２】
車椅子の利用者が足を載せるフットサポート裏面は、凹凸があり乗降時にはフットサポートを装着されているフレームに跳ね上げする必要がある。その動作時に利用者の脚がフットサポート裏面凹凸箇所に接触してケガをさせるおそれがあることから、フットサポート裏面凹凸箇所の保護をすることが従来から検討されている。従来のフットサポート用保護商品としては、フットサポートの表面重視の使用目的商品ばかりであり、踵に床ずれができ痛みを軽減させる物や、筋肉の拘縮等によりフットサポートから足がずれないようにする物などで、フットサポート全体を被覆する布製のものが一般的であるが、フットサポート全体を被覆する事から、従来のフットサポート表に成型してある滑り止め箇所まで覆ってしまい足裏とフットサポートとの間にカバーが介在することによって、足裏が滑り易くなるおそれがあった。更に、車椅子利用のまま入浴する場合には、カバーに水がしみ込んで使い勝手が悪くなるという問題があった。
【０００３】
また、特許文献１には、フットサポートの周縁部を被覆するガードが開示されている。ところが、このガードを使用した場合でも、ガードから露出したフットサポートの裏面側凹凸が、フットサポートの跳ね上げ時に脚と接触するおそれがあることから、安全面で更に改良の余地があった。
【先行技術文献】
【特許文献】
【０００４】
【特許文献１】特開２００８−１９４３０５号公報
【発明の概要】
【発明が解決しようとする課題】
【０００５】
そこで、本発明は、フットサポートへの装着を容易にしつつ、フットサポート裏面凹凸箇所等の必要箇所を確実に被覆することができる車椅子フットサポートガードの提供を目的とする。
【課題を解決するための手段】
【０００６】
本発明の前記目的は、車椅子のフレームに回動自在に支持されたフットサポートを被覆するように装着される車椅子フットサポートガードであって、前記フットサポートの少なくとも裏面側を覆う第１の保護部材と、前記第１の保護部材に固定された第２の保護部材とを備えており、前記第２の保護部材は、前記フットサポートの表面側に突出する把持部を備える車椅子フットサポートガードにより達成される。
【０００７】
この車椅子フットサポートガードにおいて、前記第１の保護部材は、帯状に形成されて長手方向に伸縮性を有することが好ましく、前記フットサポートに巻き付け装着することができる。この構成において、前記第１の保護部材は、前記フットサポートの裏面側を覆う長手方向中央部の裏面にクッション材が設けられていることが好ましく、長手方向両側を前記フットサポートの表面側に折り返して互いに結合したときに、前記第２の保護部材が前記フットサポートの表面に搭載されることが好ましい。前記第１の保護部材は、凹凸からなる滑り止め部が裏面側に設けられていることが好ましく、長手方向両側の結合時に前記滑り止め部が前記フットサポートの表面側に露出するように構成することができる。
【０００８】
あるいは、上記の車椅子フットサポートガードにおいて、前記第２の保護部材は、前記フットサポートの回動側端部が挿入される装着部を備えることができる。この構成において、前記第１の保護部材は、取付用バンドが挿通される複数の挿通孔が形成されていることが好ましい。
【０００９】
これらの車椅子フットサポートガードが備える前記第２の保護部材は、前記フットサポートの回動時に前記フレームとの干渉を回避するための切欠部が形成されていることが好ましい。
【発明の効果】
【００１０】
本発明によれば、フットサポートへの装着を容易にしつつ、フットサポートの裏面凹凸箇所等の必要箇所を確実に被覆することができる車椅子フットサポートガードを提供することができる。
【図面の簡単な説明】
【００１１】
【図１】本発明の一実施形態に係る車椅子フットサポートガードの正面図である。
【図２】図１に示す車椅子フットサポートガードの平面図である。
【図３】図１に示す車椅子フットサポートガードの側面図である。
【図４】図１に示す車椅子フットサポートガードをフットサポートに取り付けた状態を示す正面図である。
【図５】本発明の他の実施形態に係る車椅子フットサポートガードの側面図である。
【図６】本発明の更に他の実施形態に係る車椅子フットサポートガードの側面図である。
【図７】本発明の更に他の実施形態に係る車椅子フットサポートガードの側面図である。
【図８】本発明の更に他の実施形態に係る車椅子フットサポートガードの側面図である。
【図９】図８に示す車椅子フットサポートガードの取付方法を説明するための工程平面図である。
【図１０】図８に示す車椅子フットサポートガードの変形例を示す側面図である。
【発明を実施するための形態】
【００１２】
以下、本発明の実施の形態について、添付図面を参照して説明する。図１は、本発明の一実施形態に係る車椅子フットサポートガードの正面図である。また、図２および図３は、それぞれ図１に示す車椅子フットサポートガードの平面図および側面図である。図１から図３に示すように、車椅子フットサポートガード１は、第１の保護部材１０と、第２の保護部材２０とを備えている。
【００１３】
第１の保護部材１０および第２の保護部材２０は、平板状に形成されて互いに直交するように配置されており、第１の保護部材１０の側面に第２の保護部材２０の下部表面が接着等により固定されている。第１の保護部材１０および第２の保護部材２０は、利用者の脚を保護できるように弾性を有すると共に、車椅子を入浴施設でも利用できるように耐水性を有することが好ましく、本実施形態では発泡ウレタンにより形成しているが、発泡ウレタン以外の合成樹脂やゴム等から形成してもよい。
【００１４】
第１の保護部材１０は、平面視矩形状に形成されており、第２の保護部材２０に沿って両側に挿通孔１２，１４がそれぞれ形成されている。各挿通孔１２，１４には、後述する取付用バンドを挿通して、第１の保護部材１０をフットサポートの裏面側に固定することができる。本実施形態においては、各挿通孔１２，１４が、第１の保護部材１０の一方側および他方側のそれぞれに、マトリクス状に複数形成されており、複数の取付用バンドを挿通孔１２，１４に挿通できると共に、各取付用バンドを挿通する挿通孔１２，１４を、フットサポ―トの大きさに合わせて適宜選択することができる。
【００１５】
第２の保護部材２０は、第１の保護部材１０の接着部の上方に形成された装着部２２と、装着部２２の上方に形成された把持部２４とを備えている。装着部２２は、第２の保護部材２０の表裏を貫通する矩形状の窓部からなり、後述するようにフットサポ―トの回動側端部が挿入される。装着部２２は、必ずしも第２の保護部材２０の表裏を貫通する必要はなく、凹部からなる構成であってもよい。把持部２４は、利用者が複数の指を挿入可能な把持孔２４ａを有している。把持部２４には、角部を切り欠いた形状の切欠部２６が形成されている。
【００１６】
上記の構成を備える車椅子フットサポートガード１は、図４（ａ）に正面図で示すように、車椅子のフレーム５１に回動軸５２を介して回動自在に支持された右足用のフットサポート５３に取り付けることができる。すなわち、フットサポート５３の回動側端部５３ａを、第２の保護部材２０の装着部２２に挿入することにより、フットサポート５３の裏面側を第１の保護部材１０により被覆することができ、第１の保護部材１０の挿入孔１２，１４に挿入した複数の取付用バンド３０により、第１の保護部材１０をフットサポート５３に容易に固定することができる。
【００１７】
取付用バンド３０は、フットサポート５３に対して第１の保護部材１０を確実に固定可能なものであれば特に限定されないが、例えば、マジックバンドやゴムバンド等のように着脱容易な結束バンドを好ましく使用することができる。取付用バンド３０は、本実施形態では複数使用しているが、単一の取付用バンド３０により固定してもよい。取付用バンド３０は、第１の保護部材１０に予め取り付けてもよく、この場合は挿通孔１２，１４の形成は不要である。更に、第１の保護部材１０の回動軸５２側に係止片を設けて、この係止片をフットサポート５３に係合させることにより、取付用バンド３０を使用せずに第１の保護部材１０をフットサポート５３に取り付けることが可能である。
【００１８】
図４（ａ）に示すように、第２の保護部材２０の把持部２４は、フットサポート５３の表面側に突出するため、例えば、利用者の脚の筋肉が拘縮して足が内転した場合でも、フットサポート５３に載せた足が脱落するのを把持部２４によって確実に防止することができる。また、フットサポート５３を矢示方向に回動させる際には、利用者が把持部２４を把持してフットサポート５３を容易に跳ね上げることができる。把持部２４は、フットサポート５３よりも上方に配置されるため、利用者が把持部２４を手で引き上げる際の過度の前傾姿勢を抑制することができるので、利用者の前方への転倒リスクを軽減することができる。また、フットサポート５３を跳ね上げる際に、利用者が足先、足の甲、手の指先などを用いてフットサポート５３の裏面側を押し上げることがあるが、フットサポート５３の裏面側が第１の保護部材１０で覆われることにより、足や手の痛みを緩和することができ、跳ね上げを容易に行うことができる。
【００１９】
図４（ｂ）に示すように、フットサポート５３の跳ね上げ時においても、フットサポート５３の裏面側が第１の保護部材１０によって覆われた状態が維持されるため、利用者や介護者の脚を確実に保護することができる。本実施形態においては、第１の保護部材１０がフットサポート５３の裏面側全体を覆うように構成しているが、利用者や介護者の脚が当たるおそれがある裏面凹凸箇所等の必要箇所のみを保護するように、第１の保護部材１０を形成してもよい。
【００２０】
第２の保護部材２０には切欠部２６が形成されており、この切欠部２６によって第２の保護部材２０とフレーム５１との干渉が回避されるので、フットサポート５３の跳ね上げを確実に行うことができる。
【００２１】
以上、本発明の一実施形態について詳述したが、本発明の具体的な態様は上記実施形態に限定されない。例えば、図５に示すように、把持部２４の上部を滑らかな円弧状に形成してもよい。あるいは、図６に示すように、把持部２４に形成する把持孔２４ａの形状を、手または足の４本の指がフィットする湾曲形状としてもよく、フットサポート５３の跳ね上げを更に容易にすることができる。一方、利用者が把持部２４を摘んで引き上げ可能であれば、把持部２４が把持孔を有しない構成であってもよい。
【００２２】
また、把持部２４に形成する切欠部２６は、フレーム５１との干渉を回避可能であれば、形状や配置は特に限定されるものではなく、例えば、図６に示すように、切欠部２６が把持部２４から滑らかに連続する円弧状に形成されていてもよい。
【００２３】
上記各実施形態の車椅子フットサポートガード１は右足用であるが、第２の保護部材２０における第１の保護部材１０の接着面を表裏入れ替えることにより、第１の保護部材１０および第２の保護部材２０の形状を変更することなく左足用として使用することができるので、量産性に優れている。但し、第１の保護部材１０および第２の保護部材２０は、必ずしも別部材である必要はなく、型枠成形等により一体的に形成してもよい。
【００２４】
図８は、本発明の更に他の実施形態に係る車椅子フットサポートガードの側面図である。図８に示す車椅子フットサポートガード１００は、第１の保護部材１１０と、第２の保護部材１２０とを備えている。
【００２５】
第１の保護部材１１０は、車椅子のフットサポートを被覆する基材１１２を備えている。基材１１２は、例えば帯状のゴムシートからなり、長手方向に伸縮性を有している。基材１１２の裏面には、ダイヤカット形状等の多数の凹凸からなる滑り止め部１１２ａが全体に設けられている。
【００２６】
基材１１２の表面側の長手方向一方側には、硬質ゴム等により基材１１２よりも硬質に形成された矩形平板状の支持板１１４が設けられている。支持板１１４は、第１の保護部材１１０の幅方向一方側縁からはみ出し部１１４ａがはみ出すように配置されており、はみ出し部１１４ａの表面に第２の保護部材１２０が接着等により固定される。また、基材１１２の裏面側の長手方向一方側には、矩形状の面ファスナ１１６ａが設けられている。基材１１２に対する面ファスナ１１６ａの固定は、本実施形態では縫着により行っているが、接着剤や両面テープ等を用いて行ってもよい。
【００２７】
基材１１２の裏面側の長手方向中央部には、例えば発泡ウレタン等の発泡性材料からなる矩形状のクッション材１１８が設けられている。また、基材１１２の表面側の長手方向他方側には、表面側の面ファスナ１１６ａと係合可能な矩形状の面ファスナ１１６ｂが設けられている。基材１１２に対する面ファスナ１１６ｂの固定も、表面側の面ファスナ１１６ａの場合と同様に縫着等により行うことができる。
【００２８】
第２の保護部材１２０は、図１等に示す第２の保護部材２０の装着部２２を備えない他は、第２の保護部材２０と同様の構成を備えるものであり、切欠部２６が形成された把持部２４を有している。把持部２４についての上記各変形例は、第２の保護部材１２０の把持部２４に対しても適用可能である。
【００２９】
上記の構成を備える車椅子フットサポートガード１００は、まず図９（ａ）に示すように、第２の保護部材１２０が回動軸５２と反対側に位置するように基材１１２の向きを合わせて、基材１１２の長手方向中央部の表面にフットサポート５３を搭載する。ついで、支持板１１４を矢示のようにフットサポート５３の表面側に折り返して、図９（ｂ）に示すように、裏面側の面ファスナ１１６ａをフットサポート５３の直上に露出させる。支持板１１４はフットサポート５３の略全体を覆う形状・大きさとされており、第２の保護部材１２０はフットサポート５３の表面側端部に配置される。この後、基材１１２の長手方向他方側を矢示のようにフットサポート５３の表面側に折り返して、一対の面ファスナ１１６ａ，１１６ｂ同士を係合させることにより、図９（ｃ）に示すように、第１の保護部材１１０がフットサポート５３に装着される。こうして、第１の保護部材１１０がフットサポート５３の裏面側を覆うと共に、第２の保護部材１２０の把持部２４がフットサポート５３の表面側に突出するため、図１等に示す車椅子フットサポートガード１と同様に使用することができる。
【００３０】
図９に示す車椅子フットサポートガード１００は右足用であるが、支持板１１４のはみ出し部１１４ａを形成する位置を、基材１１２の幅方向左右で入れ替えることにより、左足用として構成することができる。
【００３１】
この車椅子フットサポートガード１００は、第１の保護部材１１０が長手方向に伸縮性を有しており、フットサポート５３に巻き付け装着されることで、フットサポート５３への取り付けを確実に行うことができる。第１の保護部材１１０は、フットサポート５３の裏面側を覆う中央部の裏面にクッション材１１８を備えることにより、利用者や介護者の脚をより確実に保護することができる。
【００３２】
また、第１の保護部材１１０が、凹凸からなる滑り止め部１１２ａを基材１１２の裏面側に備えており、一対の面ファスナ１１６ａ，１１６ｂ同士の係合時に滑り止め部１１２ａがフットサポート５３の表面側に露出することにより、入浴等で利用者の足裏が濡れている場合等でも、利用者の足がフットサポート５３から滑り落ちるのを抑制することができる。
【００３３】
第２の保護部材１２０は、第１の保護部材１１０をフットサポート５３に装着した際に、フットサポート５３の表面側に把持部２４が突出するため、図１等に示す構成と同様に、フットサポート５３の回動が容易になるだけでなく、足が内転してフットサポート５３から脱落するのを防止することができる。第２の保護部材１２０は、本実施形態のように、フットサポート５３からはみ出すことなく表面に搭載されることが好ましく、これによって利用者の足の脱落をより確実に防止できると共に、左右のフットサポート５３にそれぞれ装着された車椅子フットサポートガード１００同士の干渉を確実に防止することができる。
【００３４】
第１の保護部材１１０に対する第２の保護部材１２０の配置は、必ずしも本実施形態のものに限定されない。例えば、図１０に示すように、支持板１１４を基材１１２の表面側の長手方向中央部に設け、この支持板１１４に第２の保護部材１２０を固定してもよい。一対の面ファスナ１１６ａ，１１６ｂは、基材１１２の一方側および他方側にそれぞれ設けることができ、それぞれ表裏異なる配置にすることで、支持板１１４に搭載したフットサポート５３に対して、第１の保護部材１１０を確実に巻き付け装着することができる。
【符号の説明】
【００３５】
１，１００  車椅子フットサポートガード
１０，１１０  第１の保護部材
１２，１４  挿通孔
１１１  基材
１１２  滑り止め部
１１４  支持板
１１６ａ，１１６ｂ  面ファスナ
１１８  クッション材
２０，１２０  第２の保護部材
２２  装着部
２４  把持部
２６  切欠部
５１  フレーム（フットサポート装着用）
５３  フットサポート
５３ａ  回動側端部
【図１】
2019022648.tif 000003
【図２】
2019022648.tif 000004
【図３】
2019022648.tif 000005
【図４】
2019022648.tif 000006
【図５】
2019022648.tif 000007
【図６】
2019022648.tif 000008
【図７】
2019022648.tif 000009
【図８】
2019022648.tif 000010
【図９】
2019022648.tif 000011
【図１０】
2019022648.tif 000012